(57)【要約】【課題】裏蓋側から見て、美しく従来にない新鮮味のある外観や質感を有する腕時計の裏蓋構造を実現すること。【解決手段】腕時計１の裏蓋構造は、裏蓋４の径方向のほぼ中央に設けられ、裏蓋４の表裏を貫通する貫通孔１０と、貫通孔１０を塞ぐように固定される下部ガラス板１２と、下部ガラス板１２の外周を囲むように配置され、裏蓋４の裏側表面２０からムーブメント５側に掘り下げられた環状の溝２１と、環状の溝２１の内部に配置される磁器製のリング部材２２と、を有している．【選択図】図１
0003203935.tif 000002
【実用新案登録請求の範囲】
【請求項１】
上部透明板と、ケース胴と、裏蓋とで囲まれた空間内にムーブメントが配置される腕時計の裏蓋構造であって、
前記裏蓋の径方向のほぼ中央に設けられ、前記裏蓋の表裏を貫通する貫通孔と、
該貫通孔を塞ぐように固定される下部透明板と、
前記下部透明板の外周を囲むように配置され、前記裏蓋の裏側表面から前記ムーブメント側に掘り下げられた環状の溝と、
該環状の溝の内部に配置される磁器製のリング部材と、
を有している、
ことを特徴とする腕時計の裏蓋構造。
【請求項２】
請求項１に記載の腕時計の裏蓋構造において、
前記磁器製のリング部材を前記裏蓋に固定した状態で、前記磁器製のリング部材の前記ムーブメントに対して反対側の表面に透明樹脂がコーティングされ、
前記透明樹脂は、前記環状の溝の形成範囲内にあり、前記裏蓋の裏側表面から突出しない、
ことを特徴とする腕時計の裏蓋構造。
【請求項３】
請求項１または請求項２に記載の腕時計の裏蓋構造において、
前記磁器製のリング部材には、前記ムーブメントに対して反対側の表面に絵付がほどこされている、
ことを特徴とする腕時計の裏蓋構造。
【請求項４】
請求項１から請求項３のいずれか１項に記載の腕時計の裏蓋構造において、
前記磁器製のリング部材は、前記ムーブメント側表面から裏側表面側に掘り下げられた凹部を有し、
該凹部の残肉部は、光半透過性を有し、
該凹部の内部に、蓄光性夜光塗料が塗布されている、
ことを特徴とする腕時計の裏蓋構造。
【請求項５】
請求項４に記載の腕時計の裏蓋構造において、
前記凹部は、環状に形成されている、
ことを特徴とする腕時計の裏蓋構造。
【請求項６】
請求項４に記載の腕時計の裏蓋構造において、
前記凹部は、文字、幾何模様などに形成されている、
ことを特徴とする腕時計の裏蓋構造。
【考案の詳細な説明】
【技術分野】
【０００１】  本考案は、腕時計の裏蓋構造に関する。
【背景技術】
【０００２】  従来、腕時計の外観を左右する要素としては、ケースや文字板の形状や色調および材質などが重要視されてきた。これらは、腕時計を腕に装着したときの見栄えや質感を重視する要素である。したがって、裏蓋側は、腕に装着しているときには見えないことから、機能重視で、外観についてはケースや文字板ほど重要視されていなかった。しかし、腕時計は、腕に装着していないとき、たとえば、購入時に手に持って見たときや人に見せたいときなどにも、ユーザーや見る人に感動を与えられるような裏蓋構造として、裏蓋の一部をシースルーにしてムーブメントの一部を見えるようにした裏蓋構造がある（たとえば、特許文献１参照）。
【先行技術文献】
【特許文献】
【０００３】
【特許文献１】実開平５−５９３８３号公報（図４）
【考案の概要】
【考案が解決しようとする課題】
【０００４】  特許文献１に記載されている時計ケースの構造は、上方側の透明部材（風防ガラス）と裏蓋との間の空間にムーブメントを収容するようになっている。そして、裏蓋には、下部ガラス）が固定されていて、裏蓋側から下部ガラスを透視してムーブメントの一部が見えるようになっている。このような裏蓋構造を一般にシースルー構造と呼ぶ。しかし、このようなシースルー構造は、従来から商品化されていて、裏蓋側から見ても、美しく、しかも新鮮味のある外観や質感を有する腕時計の裏蓋構造の実現が求められている。【０００５】  本考案は、かかる課題に鑑みてなされたものであり、その目的とするところは、裏蓋側から見ても美しく、従来にない新鮮味のある外観や質感を有する腕時計の裏蓋構造を実現しようするものである。
【課題を解決するための手段】
【０００６】  上記課題を解決するために、本考案は、腕時計の裏蓋構造において、上部透明板と、ケース胴と、裏蓋とで囲まれた空間内にムーブメントが配置される腕時計の裏蓋構造であって、裏蓋の径方向のほぼ中央に設けられ、裏蓋の表裏を貫通する貫通孔と、貫通孔を塞ぐように固定される下部透明板と、下部透明板の外周を囲むように配置され、裏蓋の裏側表面からムーブメント側に掘り下げられた環状の溝と、環状の溝の内部に配置される磁器製のリング部材と、を有している、こととする。【０００７】  また、上記考案に加えて、磁器製のリング部材を裏蓋に固定した状態で、磁器製のリング部材のムーブメントに対して反対側の表面に透明樹脂がコーティングされ、透明樹脂は、環状の溝の形成範囲内にあり、裏蓋の裏側表面から突出しない、ことが好ましい。【０００８】  また、上記考案に加えて、磁器製のリング部材には、ムーブメントに対して反対側の表面に絵付が施されている、ことが好ましい。【０００９】  また、上記考案に加えて、磁器製のリング部材は、ムーブメント側表面から裏側表面側に掘り下げられた凹部を有し、凹部の残肉部は光半透過性を有し、凹部の内部に蓄光性夜光塗料が塗布されている、ことが好ましい。【００１０】  また、上記考案に加えて、凹部は、環状に形成されている、ことが好ましい。【００１１】  また、上記考案に加えて、凹部は、文字、幾何模様などに形成されている、ことが好ましい。
【図面の簡単な説明】
【００１２】
【図１】本考案の実施の形態に係る腕時計の構造を示し、図２の６時−１２時切断線で切断した腕時計の断面図である。
【図２】本考案の実施の形態に係る腕時計を裏蓋側から見た平面図である。
【図３】本考案の実施例１に係る腕時計の裏蓋構造を示す平面外観図。
【図４】（Ａ）は、本考案の実施例２に係る磁器製のリング部材２２を示す断面図、（Ｂ）は、実施例２の変形例を示す断面図である。
【考案を実施するための形態】
【００１３】  以下、本考案の実施の形態に係る腕時計の裏蓋構造について、図面を参照しながら説明する。
【００１４】  図１は、図２の６時−１２時切断線で切断した腕時計１の断面図、図２は、腕時計１を裏蓋側から見た平面図である。図１に示すように、腕時計１は、上部透明板である風防ガラス２と、ケース胴３と、裏蓋４とで囲まれた空間内にムーブメント（機械体）５が配置され構成されている。ムーブメント５の風防ガラス２側には、文字板６が配設されていて、文字板６側から時針７、分針８の順に取り付けられている。風防ガラス２は、ガラス縁９によってケース胴３に取り付けられている。
【００１５】  裏蓋４には、径方向のほぼ中央に裏蓋４の表裏を貫通する貫通孔１０が設けられている。なお、以降の図において、風防ガラス２側を表側、裏蓋４側を裏側と記載し、裏蓋４において、ムーブメント５側を表面側、その反対側を裏面側と記載することとする。貫通孔１０の周囲には、裏面側から掘り下げられることで段部１１が形成されている。貫通孔１０は、下部透明板である下部ガラス板１２によって封止されている。下部ガラス板１２は、貫通孔１０の縁部１３との間にパッキン１４によって保持されている。パッキン１４を設けることによって、貫通孔１０と下部ガラス板１２の間の防水性を実現している。図１に示すムーブメント５は、自動巻機械時計を例示しているので、下部ガラス板１２を透視して回転錘１５の一部を見ることができるようになっている。
【００１６】  裏蓋４には、下部ガラス板１２の外周を囲むように裏側表面２０から表面側に向かって掘り下げられた環状の溝２１が形成されている。この環状の溝２１の内部には、磁器製のリング部材２２が配置されている。磁器としては、たとえば有田焼または伊万里焼などに代表される一般に白磁と呼ばれるものが好ましい。ただし、青磁と呼ばれるものなども好ましい。本実施の形態の例では、リング部材２２は、磁器で成形されリング部材を高温焼成した後に、裏面側表面２３（視認可能側表面）を研磨してリング部材２２としている。そして、裏面側表面２３には、光透過性または光半透過性を有する釉薬が焼き付けられる。釉薬としては、光透過性が高い透明釉薬や光半透過性の白磁釉薬などがある。磁器の表面には、非常に細かい凹凸ができるが、釉薬によって、磁器表面を凹凸がない滑らかな面に仕上げることができる。なお、リング部材２２は、裏蓋４の環状の溝２１の底部２４に接着剤などで固定される。
【００１７】  図１に示すように、磁器製のリング部材２２を裏蓋４に固定した状態で、磁器製のリング部材２２の裏面側表面２３には、透明樹脂２５がコーティングされる。透明樹脂２５は、リング部材２２の裏蓋４への固定を補強する機能を有し、裏蓋４とリング部材２２との間の微小な隙間を埋めて、水分などがその隙間に入り込まないようにしている。なお、透明樹脂２５は、環状の溝２１の形成範囲、つまり、裏蓋４の裏側表面２０から突出しない範囲に塗布される。
【００１８】  図２は、裏蓋４側から見た腕時計１の外観図である。裏蓋４の平面視中央部には、下部ガラス板１２が配置されていて、ムーブメント５の一部（図２では、主として回転錘１５）を透視してみることができるようになっている。下部ガラス板１２の外周には、磁器製のリング部材２２が配置されている。図２に示すように、リング部材２２は、裏蓋４の平面積の広い領域を占めていて、一般的な腕時計の金属製の裏蓋とは異なる光沢や色調および質感を有している。なお、図２に示す裏蓋４の外周側に記載されている文字や数字は、腕時計１の諸元を表している。また、８時方向には、竜頭２６が配置されている。
【００１９】  以上説明した実施の形態に係る腕時計１の裏蓋構造は、上部透明板である風防ガラス２と、ケース胴３と、裏蓋４とで囲まれた空間内にムーブメント５が配置される腕時計１の裏蓋構造であって、裏蓋４の径方向のほぼ中央に設けられ、裏蓋４の表裏を貫通する貫通孔１０と、貫通孔１０を塞ぐように固定される下部透明板である下部ガラス板１２と、下部ガラス板１２の外周を囲むように配置され、裏蓋４の裏側表面２０からムーブメント５側に掘り下げられた環状の溝２１と、環状の溝２１の内部に配置される磁器製のリング部材２２とを有している。
【００２０】  このような構成にすれば、裏蓋４の裏面側２０に磁器製のリング部材２２を固定していて、磁器製のリング部材２２は磁器特有の光沢、色調および質感を有し、従来の金属製の裏蓋にない新鮮味のある外観を有する腕時計１の裏蓋構造を実現することができる。さらに、裏蓋４の中央部に下部ガラス板１２を設けることによって、従来技術のようなシースルー構造の裏蓋を有する腕時計の外観を提供することができる。
【００２１】  また、腕時計１の裏蓋構造は、磁器製のリング部材２２を裏蓋４に固定した状態で、磁器製のリング部材２２のムーブメント５に対して反対側の表面（裏面側表面２３）に、透明樹脂２５がコーティングされ、透明樹脂２５は、環状の溝２１の形成範囲内にあり、裏蓋４の裏側表面２０から突出しないようにしている。
【００２２】  このようにすれば、磁器製のリング部材２２と裏蓋４との固定を補強することができる。また、裏蓋４とリング部材２２との間の微小な隙間ができる場合があるが、透明樹脂２３をコーティング（塗布）することによって、この隙間を埋めて、塵や水分などがその隙間に入り込まないようにしている。さらに、透明樹脂２３が、裏蓋４の裏側表面２０から突出しないようにしていることから、精密感のある外観を損なうことがなく、腕に腕時計１を装着した時の違和感を排除できる。
【００２３】  なお、前述した磁器製のリング部材２２は、光沢、色調および質感など金属にはない特性をより発揮できる。そのことについて、以下に実施例１、実施例２として例示して説明する
【実施例１】
【００２４】  図３は、実施例１に係る腕時計１の裏蓋構造を示す平面外観図である。なお、図３では、下部ガラス板１２を透視して見えるムーブメント５の図示を省略している。図３に示すように、磁器製のリング部材２２には、裏面側表面２３に陶芸用絵具によって絵付２７が施されている。図３に示す例では、細長い葉を有する植物が表現されている。絵付の対象となるものは、植物に限らず、文字、動物や抽象的な模様など限定されるものではない。陶芸用絵具としては、赤色系、青色系、黄色系、緑色系などがあり、様々な色調の図柄を表現できる。磁器製のリング部材２２が、たとえば、有田焼や伊万里焼など磁器の場合には、呉須と呼ばれる絵具を用いて伝統的な図柄を絵付すれば（染付と呼ばれる）、有田焼の伝統的な藍色と装飾性を備える裏蓋４（磁器製のリング部材２２）を実現できる。このように、磁器製のリング部材２２の裏面側表面２３に絵付することで、白磁の地肌とは異なる趣のある外観や様々なデザインの裏蓋４を実現できる。【００２５】  なお、磁器製のリング部材２２の製造方法としては、絵付（下絵付という）したうえで釉薬をかけて焼成してもよく、釉薬をかけたのちに焼成し、絵付（上絵付という）をしてもよい。また、磁器製のリング部材２２を成形した後に、焼成をせずに、釉薬をかけた後に焼成をしてもよい。
【実施例２】
【００２６】  次に、実施例２に係る腕時計１の裏蓋構造について図４を参照しながら説明する。【００２７】  図４（Ａ）は、実施例２に係る磁器製のリング部材２２を示す断面図、図４（Ｂ）は、実施例２の変形例を示す断面図である。図４（Ａ）に示すように、磁器製のリング部材２２は、ムーブメント５側の表面２８から裏側表面２３に向かって掘り下げられた凹部２９を有し、この凹部２８内に蓄光製夜光塗料３０が塗布されている。蓄光性夜光塗料３０は、凹部２９内に充填するように塗布されている。凹部２９は、下部ガラス板１２の外形に対してほぼ同心円となる環状に形成されている。凹部２９の残肉部３１は、光半透過性を有する厚みとする。ここで、光半透過性とは、裏面側表面２３側から見たときに凹部２９は視認できず、暗い場所や裏面側表面２３側からブラックライト（紫外線ライト）を照射したときに、蓄光性夜光塗料３０が出射した光が残肉部３１を透過して見える性質をさす。【００２８】  蓄光性夜光塗料２９は、アルミン酸塩化合物を主成分に希土類元素の賦活剤を添加させた発光基体を用いたものや、蓄光性夜光原料、硫化亜鉛などがあり、太陽光や蛍光灯などの光（紫外線）を吸収し、暗いところでは長時間にわたって自然発光する。そして、暗い場所でもこの光が残肉部３１を透して裏蓋４側から見ることができ、従来の腕時計にない質感を有する斬新な裏蓋４を実現でき、腕時計１の裏側のデザインの幅をひろげることが可能となる。なお、本実施例は、前述した実施例１と組み合わせることが可能である。すなわち、磁器製のリング部材２２の裏面側表面２３には絵付２７が設けられており、表面２８側の凹部２９には蓄光性夜光塗料２９が設けられている。したがって、明るい場所では、磁器特有の光沢、質感および色調を有し、暗い場所やブラックライト照射などで、絵付２７が浮かび上がるように見ることができ、従来の金属製の裏蓋とは異なる新鮮味のある外観を実現できる。【００２９】  続いて、実施例２の変形例に係る磁器製のリング部材２２について図４（Ｂ）を参照して説明する。この変形例は、図４（Ａ）に示す実施例２に対して、ムーブメント側の表面２８に形成される凹部２９の構成が異なることに特徴を有する。図４（Ｂ）に示すように、磁器製のリング部材２２のムーブメント側の表面２８には、凹部２９が形成され、凹部２９の内部には、蓄光性夜光塗料３０が塗布されている。この凹部２９は、文字や文字以外の模様などで構成される。たとえば、文字では、商品のシリアルナンバー、商品名、ブランド名またはユーザー名などを構成することができる。また、この腕時計を記念品などとする場合には、「・・記念」というように表示することが可能である。【００３０】  以上説明した実施の形態の腕時計１の裏蓋構造によれば、上部透明板である風防ガラス２と、ケース胴３と、裏蓋４とで囲まれた空間内にムーブメント５が配置される腕時計１の裏蓋構造であって、裏蓋４の径方向のほぼ中央に設けられ、裏蓋４の表裏を貫通する貫通孔１０と、貫通孔１０を塞ぐように固定される下部透明板である下部ガラス板１２と、下部透明板である下部ガラス板１２の外周を囲むように配置され、裏蓋４の裏側表面２０からムーブメント５側の表面２��に掘り下げられた環状の溝２１と、環状の溝２１の内部に配置される磁器製のリング部材２２と、を有している。【００３１】  このような構成によれば、腕時計１の裏蓋構造は、裏蓋４の裏面側２０に磁器製のリング部材２２を有しているので、磁器特有の光沢、色調および質感を有し、従来の金属製の裏蓋にはない新鮮味のある外観を有する腕時計１の裏蓋構造を実現することができる。さらに、裏蓋４の中央部に下部ガラス板１２を設けることによって、従来技術のようなシースルー構造の裏蓋が有する時計の裏蓋側の外観を提供することができる。【００３２】  また、腕時計１の裏蓋構造は、磁器製のリング部材２２のムーブメント５に対して反対側の表面（裏面側表面２３）に、リング部材２２を裏蓋４に固定した状態で透明樹脂２５をコーティングし、透明樹脂２５は、環状の溝２１の形成範囲内にあり、裏蓋４の裏側表面２０から突出させないようにしている。このように、磁器製のリング部材２２の裏面側表面２３に透明樹脂２３をコーティング（塗布）することによって、裏蓋４と磁器製リング部材２２との隙間を埋めて、塵や水分などがその隙間に入り込まないようにしている。さらに、透明樹脂２３が、裏蓋４の裏側表面２０から突出しないようにしていることから、精密感のある外観を損なうことがなく、腕に腕時計１を装着した時の違和感を排除できる。【００３３】  また、磁器製のリング部材２２には、ムーブメント５に対して反対側の表面２８に絵付けが施されている。磁器製のリング部材２２の裏面側表面２３に絵付することで、白磁（または青磁）の地肌とは異なる趣の外観や様々なデザインの腕時計１を実現できる。【００３４】  また、磁器製のリング部材２２は、ムーブメント側表面２８から裏側表面２０側に掘り下げられた凹部２９を有し、凹部２９の残肉部３１は、光半透過性を有し、凹部２９の内部に、蓄光性夜光塗料３０を塗布している。このように構成すれば、明るい場所では、磁器特有の光沢、色調および質感を有し、暗い場所やブラックライト照射などで、絵付２７が浮かび上がるように見ることができ、従来の金属製の裏蓋とは異なる新鮮味のある外観を実現することができる。【００３５】  また、磁器製のリング部材２２は、ムーブメント側表面２８から裏側表面２０側に掘り下げられた凹部２９を有し、この凹部２９は、環状に形成されている。この凹部２９内には、蓄光性夜光塗料３０が塗布されているので、暗い場所などで、裏蓋４側から見たときに、リング状に蓄光性夜光塗料３０の発光色が磁器製リング部材２２を透してみることができ、磁器の質感を残しながら新鮮な従来にない外観を得ることができる。また、前述した絵付２７を施した場合は、この絵付２７が蓄光性夜光塗料３０の発光色で浮かび上がり、明るい場所で見た時とは異なる趣を有する外観が得られる。【００３６】  また、凹部３２は、文字、幾何模様などに形成されている。凹部３２の内部には、蓄光性夜光塗料３０が塗布されている。凹部２９は、文字や文字以外の模様などで構成される。たとえば、文字では、商品のシリアルナンバー、商品名、ブランド名またはユーザー名などを構成することができる。また、この腕時計を記念品などとする場合には、「・・記念」というよ��に表示することが可能である。このように凹部２９を形成すれば、その他大勢の汎用モデルではなく、個人毎の腕時計として価値を高めることが可能となる。【００３７】  なお、以上説明した実施の形態や各実施例では、腕時計１の裏蓋構造について説明したが、懐中時計などの携帯可能な時計にも、前述した磁器製のリング部材２２を適用することが可能である。【００３８】  また、以上説明した実施の形態や各実施例では、裏蓋４に磁器製のリング部材２２を設ける腕時計１の裏蓋構造を説明したが、文字板やダイヤルリングなどを磁器製とすることが可能で、上記裏蓋構造と組み合わせた腕時計とすることが可能である。あるいは、文字板やダイヤルリングなどの裏面側に蓄光性夜光塗料を塗布するようにしてもよい。【００３９】  また、磁器製のリング部材２２は、白磁（または青磁）の基板を用いること、磁器に絵付をすること、或いは釉薬をかけることなど、伝統的な技法を用いて形成すれば、伝統技術を旧来からの陶磁器以外の商品に活用することが可能となるほか、伝統産業の育成や発展に寄与することができる。
【符号の説明】
【００４０】  １…腕時計
２…風防ガラス（上部透明板）
３…ケース胴
４…裏蓋
５…ムーブメント
１０…貫通孔
１２…下部ガラス板（下部透明板）
２０…裏側表面
２１…環状の溝
２２…磁器製のリング部材
２５…透明樹脂
２７…絵付
２９…凹部
３０…蓄光製夜光塗料
３１…残肉部
【図１】
0003203935.tif 000003
【図２】
0003203935.tif 000004
【図３】
0003203935.tif 000005
【図４】
0003203935.tif 000006